【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
複数のノズルが配列された記録ヘッドを用いて記録媒体に記録を行うために使用される２値データを生成するためのデータ生成装置であって、
前記複数のノズルの配列範囲よりも小なる搬送量による前記記録媒体の搬送を介在する前記記録ヘッドの複数回の走査によって前記搬送量に対応する領域に記録を行うための記録モードを設定する設定手段と、
前記記録媒体の搬送方向における画素数が異なる複数の２値化処理パターンの中から、前記設定手段により設定された記録モードの搬送量に対応した画素数の約数に相当する画素数を有する２値化処理パターンを選択する選択手段と、
前記選択手段により選択された２値化処理パターンを用いて前記領域に対応した２値データを生成する生成手段と、
を有することを特徴とするデータ生成装置。
【請求項２】
複数のノズルが配列された記録ヘッドを用いて記録媒体に記録を行うために使用される２値データを生成するためのデータ生成装置であって、
前記複数のノズルの配列範囲よりも小なる第１の搬送量による記録媒体の搬送を介在する前記記録ヘッドのＭ（Ｍは２以上の整数）回の走査によって前記第１の搬送量に相当する幅を有する領域に記録を行うための第１の記録モードと、前記第１の搬送量よりも小さな第２の搬送量による記録媒体の搬送を介在する前記記録ヘッドのＮ（ＮはＭよりも大きい整数）回の走査によって前記第２の搬送量に相当する幅を有する領域に記録を行うための第２の記録モードとを含む複数の記録モードの中から１つの記録モードを設定するための設定手段と、
前記第１の記録モードが設定された場合、前記第１の搬送量に対応する画素数の約数に相当する画素数を前記記録媒体の搬送方向に有する第１の２値化処理パターンを用いて前記第１の搬送量に相当する幅を有する領域に対応した２値データを生成し、前記第２の記録モードが設定された場合、前記第２の搬送量に対応する画素数の約数に相当する画素数を前記搬送方向に有する、前記第１の２値化処理パターンとは異なる第２の２値化処理パターンを用いて前記第２の搬送量に相当する幅を有する領域に対応した２値データを生成する生成手段と、
を有することを特徴とするデータ生成装置。
【請求項３】
前記２値化処理パターンは、濃度パターンを選択するための濃度パターン選択マトリックスのパターンであることを特徴とする請求項１または２に記載のデータ生成装置。
【請求項４】
前記２値化処理パターンは、ディザパターンであることを特徴とする請求項１または２に記載のデータ生成装置。
【請求項５】
前記搬送量に対応した画素数の約数に相当する画素数は、前記搬送量に対応した画素数と同じであることを特徴とする請求項１に記載のデータ生成装置。
【請求項６】
前記生成手段により生成された２値データを、前記複数回の走査それぞれに対応した２値データに分割するためのマスクを格納したメモリを更に有し、
前記マスクは、前記２値化処理パターンに基づき作成されたものであることを特徴とする請求項１に記載のデータ生成装置。
【請求項７】
前記データ生成装置は、前記記録ヘッドによって前記記録媒体に記録を行うための記録装置、あるいは、前記記録装置に前記２値データを供給するためのホストコンピュータであることを特徴とする請求項１乃至６のいずれかに記載のデータ生成装置。
【請求項８】
複数のノズルが配列された記録ヘッドを用いて記録媒体に記録を行うための記録装置であって、
前記複数のノズルの配列範囲よりも小なる第１の搬送量による記録媒体の搬送を介在する前記記録ヘッドのＭ（Ｍは２以上の整数）回の走査によって前記第１の搬送量に相当する幅を有する領域に記録を行うための第１の記録モードと、前記第１の搬送量よりも小さな第２の搬送量による記録媒体の搬送を介在する前記記録ヘッドのＮ（ＮはＭよりも大きい整数）回の走査によって前記第２の搬送量に相当する幅を有する領域に記録を行うための第２の記録モードとを含む複数の記録モードの中から１つの記録モードを設定するための設定手段と、
前記第１の記録モードが設定された場合、前記第１の搬送量に対応する画素数の約数に相当する画素数を前記記録媒体の搬送方向に有する第１の２値化処理パターンを用いて前記第１の搬送量に相当する幅を有する領域に対応した２値データを生成し、前記第２の記録モードが設定された場合、前記第２の搬送量に対応する画素数の約数に相当する画素数を前記搬送方向に有する、前記第１の２値化処理パターンとは異なる第２の２値化処理パターンを用いて前記第２の搬送量に相当する幅を有する領域に対応した２値データを生成する生成手段と、
を具備することを特徴とする記録装置。
【請求項９】
複数のノズルが配列された記録ヘッドを用いて記録媒体に記録を行うために使用される２値データを生成するためのデータ生成方法であって、
前記複数のノズルの配列範囲よりも小なる搬送量による前記記録媒体の搬送を介在する前記記録ヘッドの複数回の走査によって前記搬送量に対応する領域に記録を行うための記録モードを設定する設定工程と、
前記記録媒体の搬送方向における画素数が異なる複数の２値化処理パターンの中から、前記設定工程で設定された記録モードの前記搬送量に対応した画素数の約数に相当する画素数を有する２値化処理パターンを選択する選択工程と、
前記選択工程で選択された２値化処理パターンを用いて前記領域に対応した２値データを生成する生成工程と、
を有することを特徴とするデータ生成方法。
【請求項１０】
コンピュータに読取られることにより、該コンピュータに請求項９に記載のデータ生成方法を実行させるためのプログラム。
【手続補正２】
【補正対象書類名】明細書
【補正対象項目名】発明の名称
【補正方法】変更
【補正の内容】
【発明の名称】データ生成装置、記録装置およびデータ生成方法
【手続補正３】
【補正対象書類名】明細書
【補正対象項目名】０００１
【補正方法】変更
【補正の内容】
【０００１】
本発明は、データ生成装置、記録装置およびデータ生成方法に関する。詳しくは、記録媒体の搬送動作を介在させた記録ヘッドの複数回の走査によって記録媒体の単位領域の記録を完成させるための記録データを生成する処理に関するものである。
【手続補正４】
【補正対象書類名】明細書
【補正対象項目名】００１５
【補正方法】変更
【補正の内容】
【００１５】
本発明の目的は、マルチパス記録におけるフィード量の変更があっても、２値データ生成（２値化処理パターン）の繰り返し周期の現れ方をいずれの単位領域でも同じにすることができるデータ生成装置、記録装置およびデータ生成方法を提供することである。
【手続補正５】
【補正対象書類名】明細書
【補正対象項目名】００１６
【補正方法】変更
【補正の内容】
【００１６】
上記目的を達成するために本発明は、複数のノズルが配列された記録ヘッドを用いて記録媒体に記録を行うために使用される２値データを生成するためのデータ生成装置であって、前記複数のノズルの配列範囲よりも小なる搬送量による前記記録媒体の搬送を介在する前記記録ヘッドの複数回の走査によって前記搬送量に対応する領域に記録を行うための記録モードを設定する設定手段と、前記記録媒体の搬送方向における画素数が異なる複数の２値化処理パターンの中から、前記設定手段により設定された記録モードの搬送量に対応した画素数の約数に相当する画素数を有する２値化処理パターンを選択する選択手段と、前記選択手段により選択された２値化処理パターンを用いて前記領域に対応した２値データを生成する生成手段と、を有することを特徴とする。
【手続補正６】
【補正対象書類名】明細書
【補正対象項目名】００１７
【補正方法】変更
【補正の内容】
【００１７】
また、他の本発明は、複数のノズルが配列された記録ヘッドを用いて記録媒体に記録を行うために使用される２値データを生成するためのデータ生成装置であって、前記複数のノズルの配列範囲よりも小なる第１の搬送量による記録媒体の搬送を介在する前記記録ヘッドのＭ（Ｍは２以上の整数）回の走査によって前記第１の搬送量に相当する幅を有する領域に記録を行うための第１の記録モードと、前記第１の搬送量よりも小さな第２の搬送量による記録媒体の搬送を介在する前記記録ヘッドのＮ（ＮはＭよりも大きい整数）回の走査によって前記第２の搬送量に相当する幅を有する領域に記録を行うための第２の記録モードとを含む複数の記録モードの中から１つの記録モードを設定するための設定手段と、前記第１の記録モードが設定された場合、前記第１の搬送量に対応する画素数の約数に相当する画素数を前記記録媒体の搬送方向に有する第１の２値化処理パターンを用いて前記第１の搬送量に相当する幅を有する領域に対応した２値データを生成し、前記第２の記録モードが設定された場合、前記第２の搬送量に対応する画素数の約数に相当する画素数を前記搬送方向に有する、前記第１の２値化処理パターンとは異なる第２の２値化処理パターンを用いて前記第２の搬送量に相当する幅を有する領域に対応した２値データを生成する生成手段と、を有することを特徴とする。
【手続補正７】
【補正対象書類名】明細書
【補正対象項目名】００１８
【補正方法】変更
【補正の内容】
【００１８】
また、他の本発明は、複数のノズルが配列された記録ヘッドを用いて記録媒体に記録を行うための記録装置であって、前記複数のノズルの配列範囲よりも小なる第１の搬送量による記録媒体の搬送を介在する前記記録ヘッドのＭ（Ｍは２以上の整数）回の走査によって前記第１の搬送量に相当する幅を有する領域に記録を行うための第１の記録モードと、前記第１の搬送量よりも小さな第２の搬送量による記録媒体の搬送を介在する前記記録ヘッドのＮ（ＮはＭよりも大きい整数）回の走査によって前記第２の搬送量に相当する幅を有する領域に記録を行うための第２の記録モードとを含む複数の記録モードの中から１つの記録モードを設定するための設定手段と、前記第１の記録モードが設定された場合、前記第１の搬送量に対応する画素数の約数に相当する画素数を前記記録媒体の搬送方向に有する第１の２値化処理パターンを用いて前記第１の搬送量に相当する幅を有する領域に対応した２値データを生成し、前記第２の記録モードが設定された場合、前記第２の搬送量に対応する画素数の約数に相当する画素数を前記搬送方向に有する、前記第１の２値化処理パターンとは異なる第２の２値化処理パターンを用いて前記第２の搬送量に相当する幅を有する領域に対応した２値データを生成する生成手段と、を具備することを特徴とする。
【手続補正８】
【補正対象書類名】明細書
【補正対象項目名】００１９
【補正方法】変更
【補正の内容】
【００１９】
また、他の本発明は、複数のノズルが配列された記録ヘッドを用いて記録媒体に記録を行うために使用される２値データを生成するためのデータ生成方法であって、前記複数のノズルの配列範囲よりも小なる搬送量による前記記録媒体の搬送を介在する前記記録ヘッドの複数回の走査によって前記搬送量に対応する領域に記録を行うための記録モードを設定する設定工程と、前記記録媒体の搬送方向における画素数が異なる複数の２値化処理パターンの中から、前記設定工程で設定された記録モードの前記搬送量に対応した画素数の約数に相当する画素数を有する２値化処理パターンを選択する選択工程と、前記選択工程で選択された２値化処理パターンを用いて前記領域に対応した２値データを生成する生成工程と、を有することを特徴とする。